(57)【要約】【課題】本発明は、清掃部材の先端が壁部に突き当って押圧された場合に、支持部が光透過部側に曲がることを抑制することを目的とする。【解決手段】清掃装置１４０は、光Ｌが透過する長尺状の光透過部１１２を清掃する清掃部１５６と、清掃部１５６を支持し、光透過部１１２の長尺方向に移動する支持部１５２と、を有する清掃部材１５０と、光透過部１１２の長尺方向一端側に設けられ、光透過部１１２の長尺方向に交差する方向に沿った面１８４が形成された壁部１８０と、を備え、清掃部材１５０と壁部１８０とは、清掃部材１５０が壁部１８０に突き当って押圧された場合、支持部１５２が光透過部１１２側の反対側に凸とする方向に曲がる構成とされている。【選択図】図４
2015075738.tif 000002
【特許請求の範囲】
【請求項１】
光が透過する長尺状の光透過部を清掃する清掃部と、該清掃部を支持する支持部と、を有する清掃部材と、
前記光透過部の長尺方向一端側に設けられ、前記光透過部の長尺方向に交差する方向に沿った面が形成された壁部と、を備え、
前記清掃部材と前記壁部とは、前記清掃部材の先端が前記壁部に突き当って押圧された場合、前記支持部が前記光透過部側の反対側に凸とする方向に曲がる構成とされている、
清掃装置。
【請求項２】
前記壁部は、長尺方向に対して傾斜しており、
前記清掃部材は、前記清掃部材が前記壁部の先端に突き当って押圧された場合、前記清掃部材の先端側が前記光透過部側に案内されて曲がる、
請求項１記載の清掃装置。
【請求項３】
長尺状とされ、支持部に支持される清掃部を有する清掃部材により清掃され、光が透過する光透過部と、
前記光透過部の長尺方向一端側に設けられ、前記光透過部の長尺方向に交差する方向に沿った面が形成され、前記清掃部材の先端が突き当って押圧された場合に、前記清掃部材の先端側を前記光透過部側に案内する壁部と、
を備えた被清掃装置。  
【請求項４】
清掃を行うための清掃部と、
該清掃部を支持する長尺状の支持部と、
該支持部の先端側において、少なくとも前記清掃部及び前記支持部のいずれかに設けられ、且つ、前記支持部の中立軸よりも前記支持部における前記清掃部が清掃を行う側にある突起部と、
を備えた清掃部材。
【請求項５】
前記突起部は、前記清掃部に設けられている、
請求項４記載の清掃部材。
【請求項６】
清掃を行うための清掃部と、
該清掃部を支持する長尺状の支持部と、を備え、
該支持部において、前記清掃部が清掃を行う側よりも前記清掃部が清掃を行う側の反対側の曲げ剛性が大とされる、
清掃部材。
【請求項７】
前記支持部の前記清掃部が清掃を行う側に窪みが形成されている、
請求項６記載の清掃部材。
【請求項８】
前記窪みは、前記支持部の軸方向に複数形成されている、
請求項７項記載の清掃部材。
【請求項９】
前記清掃部材が、請求項１〜８何れか１項記載の清掃部材である、
請求項１又は２記載の清掃装置。
【請求項１０】
光源と、該光源から出射され、被光照射体に照射される光を透過する光透過部と、を含む光照射装置と、
前記光透過部の表面を前記清掃部で清掃する請求項１、２又は９何れか１項記載の清掃装置と、
を備えた画像形成装置。
【発明の詳細な説明】
【技術分野】
【０００１】
本発明は、清掃装置、被清掃装置、清掃部材及び画像形成装置に関する。
【背景技術】
【０００２】
特許文献１には、画像形成装置内の被清掃部材を掃除する清掃機構構成において、清掃部材を画像形成装置内に挿入する方向又は画像形成装置内から引き出す方向のいずれか一方向のみ当該清掃部材が被清掃部材に接触する構成が開示されている。
【先行技術文献】
【特許文献】
【０００３】
【特許文献１】特開２００１−３４３８７６号公報
【発明の概要】
【発明が解決しようとする課題】
【０００４】
本発明は、清掃部材の先端が壁部に突き当って押圧された場合に、支持部が光透過部側に曲がることを抑制することを目的とする。
【課題を解決するための手段】
【０００５】
本発明の請求項１記載の清掃装置は、光が透過する長尺状の光透過部を清掃する清掃部と、該清掃部を支持する支持部と、を有する清掃部材と、前記光透過部の長尺方向一端側に設けられ、前記光透過部の長尺方向に交差する方向に沿った面が形成された壁部と、を備え、前記清掃部材と前記壁部とは、前記清掃部材の先端が前記壁部に突き当って押圧された場合、前記支持部が前記光透過部側の反対側に凸とする方向に曲がる構成とされている。
【０００６】
本発明の請求項２記載の清掃装置は、請求項１記載の現像装置において、前記壁部は、長尺方向に対して傾斜しており、前記清掃部材は、前記清掃部材の先端が前記壁部に突き当って押圧された場合、前記清掃部材の先端側が前記光透過部側に案内されて曲がる。
【０００７】
本発明の請求項３記載の被清掃装置は、長尺状とされ、支持部に支持される清掃部を有する清掃部材により清掃され、光が透過する光透過部と、前記光透過部の長尺方向一端側に設けられ、前記光透過部の長尺方向に交差する方向に沿った面が形成され、前記清掃部材の先端が突き当って押圧された場合に、前記清掃部材の先端側を前記光透過部側に案内する壁部と、を備えている。
【０００８】
本発明の請求項４記載の清掃部材は、清掃を行うための清掃部と、該清掃部を支持する長尺状の支持部と、該支持部の先端側において、少なくとも前記清掃部及び前記支持部のいずれかに設けられ、且つ、前記支持部の中立軸よりも前記支持部における前記清掃部が清掃を行う側にある突起部と、を備えている。
【０００９】
本発明の請求項５記載の清掃部材は、請求項４記載の清掃部材において、前記突起部は、前記清掃部に設けられている。
【００１０】
本発明の請求項６記載の清掃部材は、清掃を行うための清掃部と、該清掃部を支持する長尺状の支持部と、を備え、該支持部において、前記清掃部が清掃を行う側よりも前記清掃部が清掃を行う側の反対側の曲げ剛性が大とされる。
【００１１】
本発明の請求項７記載の清掃部材は、請求項６記載の清掃部材において、前記支持部の前記清掃部が清掃を行う側に窪みが形成されている。
【００１２】
本発明の請求項８記載の清掃部材は、請求項７記載の清掃部材において、前記窪みは、前記支持部の軸方向に複数形成されている。
【００１３】
本発明の請求項９記載の清掃装置は、請求項１又は２記載の清掃装置であって、前記清掃部材が、請求項１〜８何れか１項記載の清掃部材である。
【００１４】
本発明の請求項１０記載の画像形成装置は、光源と、該光源から出射され、被光照射体に照射される光を透過する光透過部と、を含む光照射装置と、前記光透過部の表面を前記清掃部で清掃する請求項１、２又は９何れか１項記載の清掃装置と、を備えている。
【発明の効果】
【００１５】
本発明の請求項１の清掃装置によれば、清掃部材の先端が壁部に突き当って押圧された場合に、支持部が光透過部側に曲がることを抑制することができる。
【００１６】
本発明の請求項２の清掃装置によれば、支持部の先端側が光透過部側に案内されない場合に比べて、清掃部材の先端が壁部に突き当って押圧された際に支持部が光透過部側に曲がることを抑制することができる。
【００１７】
本発明の請求項３の被清掃装置によれば、清掃部材の先端を光透過部側に案内することができる。
【００１８】
本発明の請求項４及び５の清掃部材によれば、支持部の中立軸よりも支持部における清掃部が支持された側に突起部がないものと比べて、支持部が、清掃部が支持された側に凸に曲がることを抑制することができる。
【００１９】
本発明の請求項６乃至８の清掃部材によれば、支持部の中立軸よりも清掃部が支持された側とその反対側との曲げ剛性に差がないものと比べて、支持部が、清掃部が支持された側に凸に曲がることを抑制することができる。
【００２０】
本発明の請求項９の清掃装置によれば、請求項４〜８何れか１項記載の清掃部材を備えていない場合に比べて、清掃部材の先端が壁部に突き当って押圧された際に、支持部が光透過部側に曲がることを抑制することができる。
【００２１】
本発明の請求項１０の画像形成装置によれば、請求項１、２又は９何れか１項記載の清掃装置を備えていない場合に比べて、清掃部材の先端が壁部に突き当って押圧した際に、支持部が光透過部側に曲がることを抑制することができる。
【図面の簡単な説明】
【００２２】
【図１】第１実施形態の画像形成装置の全体構成を示す概略図である。
【図２】第１実施形態の収容体、清掃部材及びその周辺の斜視図である。
【図３】第１実施形態の清掃装置を構成する清掃部材の概略図である。
【図４】第１実施形態の清掃装置の動作を示す概略図である。
【図５】第１実施形態の変形例（変形例１）に係る画像形成装置を構成するＬＥＤヘッドの平面図である。
【図６】第１実施形態の変形例（変形例２）に係る画像形成装置を構成するスキャナー装置の概略図である。
【図７】第１実施形態の変形例（変形例３に係る画像形成装置を構成する画像検査部の概略図である。
【図８】第２実施形態の清掃装置の動作を示す概略図である。
【図９】第２実施形態の清掃装置の変形例を示す概略図である。
【図１０】第３実施形態の清掃装置を示す概略図である。
【図１１】第４実施形態の清掃装置を示す概略図である。
【図１２】第４実施形態の清掃装置の変形例を示す概略図である。
【図１３】参考例の清掃装置の動作を示す概略図である。
【発明を実施するための形態】
【００２３】
≪第１実施形態≫
以下、第１実施形態の一例について、図面に基づき説明する。まず、画像形成装置の全体構成及び動作を説明し、次いで、本実施形態の要部である露光装置の清掃装置の構成及び動作を説明する。なお、後述では、図１に矢印Ｙで示す方向を装置高さ方向、図１に矢印Ｘで示す方向の装置幅方向とする。また、装置高さ方向及び装置幅方向のそれぞれに直交する方向（適宜矢印Ｚで示す）を装置奥行き方向とする。
【００２４】
＜画像形成装置の構成＞
図１は、本実施形態に係る画像形成装置１０を正面側から見た全体構成を示す概略図である。この図に示される如く、画像形成装置１０は、電子写真方式により媒体Ｐに画像を形成する画像形成部１２と、媒体Ｐを搬送する媒体搬送部５０と、画像が形成された媒体Ｐに対する後処理等を行う後処理部６０と、を含んで構成されている。さらに、画像形成装置１０は、上記各部の制御を行う制御部７０を含んで構成されている。
【００２５】
〔画像形成部〕
画像形成部１２は、トナー画像を形成するトナー画像形成部２０と、トナー画像形成部２０で形成された画像を媒体Ｐに転写する転写装置３０と、媒体Ｐに転写されたトナー画像を媒体Ｐ定着する定着装置４０と、を含んで構成されている。
【００２６】
〈トナー画像形成部〉
トナー画像形成部２０は、感光体ドラム２１と、帯電器２２と、露光装置２３と、現像装置２４と、を含んで構成されている。トナー画像形成部２０は、色ごとにトナー画像を形成するように複数備えられている。本実施形態では、イエロー（Ｙ）、マゼンタ（Ｍ）、シアン（Ｃ）、ブラック（Ｋ）の計４色のトナー画像形成部２０が設けられている。図１に示すＹ、Ｍ、Ｃ、Ｋは、上記各色を示している。転写装置３０は、４色分のトナー画像が重畳して１次転写された転写ベルト３１から、転写ニップＮＴにおいて媒体Ｐに４色分のトナー画像を転写するようになっている。ここで、感光体ドラム２１は、被光照射体の一例である。露光装置２３は、光照射装置の一例である。
【００２７】
（感光体ドラム）
感光体ドラム２１は、円筒状に形成され、駆動手段（図示省略）によって自軸周りに回転駆動されるようになっている。感光体ドラム２１の外周面には、一例として負の帯電極性を呈する感光層が形成されている。なお、感光体ドラム２１の外周面にオーバーコート層を形成した構成としてもよい。各色の感光体ドラム２１は、正面視で装置幅方向に沿って直線状に並べて配置されている。
【００２８】
（帯電器）
帯電器２２は、感光体ドラム２１の外周面（感光層）を負極性に帯電させるようになっている。本実施形態では、帯電器２２は、コロナ放電方式（非接触帯電方式）のスコロトロン帯電器とされている。
【００２９】
（露光装置）
露光装置２３は、感光体ドラム２１の外周面に静電潜像を形成するようになっている。具体的には、制御部７０を構成する画像信号処理部から受け取った画像データに応じて、変調した露光光Ｌを帯電器２２により帯電された感光体ドラム２１の外周面に照射するようになっている。そして、露光光Ｌの照射により、感光体ドラム２１の外周面には静電潜像が形成されるようになっている。本実施形態では、露光装置２３は、光源２６（図示省略）から照射された光ビームをポリゴンミラーやＦθレンズを含む光走査手段（光学系）で走査しつつ感光体ドラム２１の外周面を露光する構成とされている。ここで、露光光Ｌは、光の一例である。
【００３０】
露光装置２３は、露光装置２３ごとに収容体１１０に収容されている。また、各収容体１１０は、支持フレーム１９０に支持されている（図２参照）。
【００３１】
各収容体１１０の装置高さ方向下側には、長尺状の透過ガラス１１２が、その長尺方向が装置奥行き方向に沿うように、固定されている。透過ガラス１１２における装置奥行き方向一端から他端までの距離Ｌ２は、収容体１１０における装置奥行き方向一端から他端までの距離Ｌ３よりも短くされており、透過ガラス１１２の両端部の位置は、装置奥行き方向から見て、収容体１１０の両端部より内側となっている。透過ガラス１１２の装置奥行き方向手前側端部の位置は、収容体１１０の装置奥行き方向手前側端部から距離Ｌ４とされている（図４（Ａ）参照）。ここで、長尺状とは、棒、４つの側面が長方形で構成される直方体その他の形状であって、一方向における側面の長さが他の側面よりも長い形状をいう。この場合、一方向における両端部が曲面状で構成されていてもよい。
【００３２】
また、透過ガラス１１２は、光源２６から出射された露光光Ｌの光路の一部に配置されている。そして、透過ガラス１１２は、感光体ドラム２１の外周面に照射される露光光Ｌを透過するようになっている。装置奥行き方向において、露光光Ｌが透過ガラス１１２を透過する領域ＣＬの一端から他端までの距離Ｌ０は、距離Ｌ２よりも短くされている（図４（Ａ）参照）。ここで、透過ガラス１１２は、長尺状の光透過部の一例である。また、領域ＣＬは、清掃領域の一例である。
【００３３】
（清掃装置）
清掃装置１４０は、露光装置２３の透過ガラス１１２における感光体ドラム２１側の表面１１２Ａ（図４（Ａ）参照）に付着したトナーＴ、埃、紙粉等の付着物を清掃するようになっている。なお、清掃装置１４０は、本実施形態の要部のため、後述する。なお、透過ガラス１１２の表面１１２Ａは、平面とされている。
【００３４】
（現像装置）
現像装置２４は、トナーＴ及びキャリアＣＡを含む現像剤Ｇで感光体ドラム２１の外周面に形成された静電潜像をトナー画像として現像することで、感光体ドラム２１の外周面にトナー画像を形成するようになっている。現像装置２４は、トナーＴを補充するためのトナーカートリッジ３９が補充路（図示省略）を通じてつながっている。各色のトナーカートリッジ３９は、感光体ドラム２１、露光装置２３に対する上方に正面視で装置幅方向に並べて配置されており、個別に交換可能とされている。
【００３５】
（転写装置）
転写装置３０は、各色の感光体ドラム２１のトナー画像を転写ベルト３１に重畳して１次転写し、重畳されたトナー画像を媒体Ｐに２次転写するようになっている。
【００３６】
具体的には、転写ベルト３１は、無端状を成し、複数のロール３２に巻き掛けられて姿勢が決められている。本実施形態では、転写ベルト３１は、正面視で装置幅方向に長い逆鈍角三角形状の姿勢とされている。複数のロール３２のうちロール３２Ｄは、モーター（図示省略）の動力により転写ベルト３１を矢印Ａ方向に周回させる駆動ロールとして機能する。また、複数のロール３２のうちロール３２Ｔは、転写ベルト３１に張力を付与する張力付与ロールとして機能する。複数のロール３２のうちロール３２Ｂは、２次転写ロール３４の対向ロールとして機能する。
【００３７】
転写ベルト３１は、前述した姿勢で装置幅方向に延びた上辺部において、各色の感光体ドラム２１に下方から接触しており、各感光体ドラム２１の画像が１次転写ロール３３からの転写バイアス電圧の印加を受けて転写されるようになっている。また、転写ベルト３１は、鈍角を成す下端側の頂部において２次転写ロール３４が接触されて転写ニップＮＴを形成しており、２次転写部３４からの転写バイアス電圧の印加を受けて該転写ニップＮＴを通過する媒体Ｐにトナー画像を転写する。
【００３８】
（定着装置）
定着装置４０は、転写装置３０においてトナー画像が転写された媒体Ｐに、トナー画像を定着させるようになっている。本実施形態では、定着装置４０は、定着ニップＮＦにおいてトナー画像を加熱しつつ加圧することで、トナー画像を媒体Ｐに定着する構成とされている。
【００３９】
〔媒体搬送部〕
媒体搬送部５０は、画像形成部１２に媒体Ｐを供給する媒体供給部５２と、画像が形成された媒体Ｐを排出する媒体排出部５４とを含んで構成されている。また、媒体搬送部５０は、媒体Ｐの両面に画像を形成させる際に用いられる媒体戻し部５６と、転写装置３０から定着装置４０まで媒体Ｐを搬送する中間搬送部５８とを含んで構成されている。
【００４０】
媒体供給部５２は、画像形成部１２の転写ニップＮＴに対し、転写タイミングに合わせて媒体Ｐを１枚ずつ供給するようになっている。媒体排出部５４は、定着装置４０にてトナー画像が定着された画像が形成された媒体Ｐを装置外に排出するようになっている。媒体戻し部５６は、一方の面にトナー画像が定着された媒体Ｐの他方の面に画像を形成する際に、媒体Ｐを表裏反転して画像形成部１２（媒体供給部５２）に戻すようになっている。
【００４１】
〔後処理部〕
後処理部６０は、画像形成部１２で画像が形成された媒体Ｐを冷却する媒体冷却部６２と、媒体Ｐの湾曲を矯正する矯正装置６４と、媒体Ｐに形成された画像を検査する画像検査部６６とを含んで構成されている。後処理部６０を構成する各部は、媒体搬送部５０の媒体排出部５４中に配置されている。
【００４２】
後処理部６０を構成する媒体冷却部６２、矯正装置６４及び画像検査部６６は、媒体排出部５４における媒体Ｐの排出方向の上流側からこの順で配置されており、媒体排出部５４による排出過程の媒体Ｐに対して上記後処理を施すようになっている。
【００４３】
＜画像形成装置の動作＞
画像形成装置１０による媒体Ｐへの画像形成工程及びその後処理工程の概要を説明する。
【００４４】
画像形成指令を受けた制御部７０は、トナー画像形成部２０、転写装置３０及び定着装置４０を作動させる。これにより、感光体ドラム２１及び現像ロール２４２が回転され、転写ベルト３１が周回される。また、加圧ロール４２が回転されるとともに、定着ベルト４１１が周回される。さらに、これらの動作に同期して、制御部７０は、媒体搬送部５０等を作動させる。
【００４５】
これにより、各色の感光体ドラム２１は、回転されながら帯電器２２によって帯電される。また、制御部７０は、画像信号処理部で画像処理が施された画像データを、各露光装置２３に送る。各露光装置２３は、画像データに応じて各露光光Ｌを出射して、帯電した各感光体ドラム２１に露光する。すると、各感光体ドラム２１の外周面に静電潜像が形成される。各感光体ドラム２１に形成された静電潜像は、現像装置２４から供給される現像剤Ｇによってトナー画像として現像される。これにより、各色の感光体ドラム２１には、イエロー（Ｙ）、マゼンタ（Ｍ）、シアン（Ｃ）、ブラック（Ｋ）のうち、対応する色のトナー画像が形成される。
【００４６】
各色の感光体ドラム２１に形成された各色のトナー画像は、各色の１次転写ロール３３を通じた転写バイアス電圧の印加によって、周回する転写ベルト３１に順次転写される。これにより、転写ベルト３１には、４色分のトナー画像が重畳されたトナー画像が形成される。このトナー画像は、転写ベルト３１の周回によって転写ニップＮＴに搬送される。この転写ニップＮＴには、このトナー画像の搬送にタイミングを合わせるように、媒体供給部５２により媒体Ｐが供給される。この転写ニップＮＴにおいて転写バイアス電圧が印加されることで、転写ベルト３１からトナー画像が媒体Ｐに転写される。
【００４７】
トナー画像が転写された媒体Ｐは、中間搬送部５８によって転写装置３０の転写ニップＮＴから定着装置４０の定着ニップＮＦに向けて、負圧吸引されながら搬送される。定着装置４０は、定着ニップＮＦを通過する媒体Ｐに熱及び加圧力（定着エネルギー）を付与する。これにより、媒体Ｐに転写されたトナー画像が媒体Ｐに定着される。
【００４８】
定着装置４０から排出された媒体Ｐは、媒体排出部５４によって装置外の排出媒体受け部に向けて搬送されつつ、後処理部６０により処理が施される。定着工程により加熱された媒体Ｐは、まず媒体冷却部６２において冷却される。次いで、媒体Ｐは、矯正装置６４によって湾曲が矯正される。さらに、媒体Ｐに定着されたトナー画像は、画像検査部６６によって、トナー濃度欠陥、画像欠陥、画像位置欠陥等の有無や程度が検出される。そして、媒体Ｐは、媒体排出部５４に排出される。
【００４９】
一方、媒体Ｐの画像が形成されていない非画像面に画像を形成させる場合（両面印刷の場合）、制御部７０は、画像検査部６６の通過後の媒体Ｐの搬送経路を、媒体排出部５４から媒体戻し部５６に切り替える。これにより媒体Ｐは、表裏反転されて媒体供給部５２に送り込まれる。この媒体Ｐの裏面には、前述した表面への画像形成工程と同様の工程で画像が形成（定着）される。媒体Ｐは、前述した表面への画像形成後の後処理工程と同様の工程を経て、媒体排出部５４によって装置外に排出される。
【００５０】
＜要部の構成＞
次に、本実施形態の要部である清掃装置１４０を、図面に基づいて説明する。清掃装置１４０は、図４（Ａ）に示されるように、清掃部材１５０と、傾斜体１８０と、を含んで構成されている。清掃部材１５０は、長尺状の部材であって、その長尺方向が透過ガラス１１２の長尺方向に沿うように配置されている。ここで、傾斜体１８０は、壁部の一例である。
【００５１】
〔清掃部材〕
清掃部材１５０は、図３（Ａ）及び（Ｂ）に示されるように、長尺状且つ扁平（板状）の支持部１５２と、把持部１５４と、清掃部１５６と、を備えている。把持部１５４は、支持部１５２の一端側に、該支持部１５２と一体的に形成されている。
【００５２】
支持部１５２は、図３（Ｃ）に示されるように、装置奥行き方向から見ると、Ｈ字状とされている。そして、支持部１５２は、薄板状の本体部１５２１と、本体部１５２１の装置幅方向両端において、本体部１５２１を挟むように対向して設けられた側壁部１５２２と、が一体的に形成されている。なお、本体部１５２１は、装置高さ方向において、２つの側壁部１５２２の中央部に形成されている。
【００５３】
図４（Ａ）に示されるように、清掃部材１５０の長尺方向における支持部１５２の把持部１５４側端部から清掃部１５６の支持部１５２側の反対側端部までの距離Ｌ１は、装置奥行き方向における収容体１１０の一端から他端までの距離Ｌ３よりも、長くされている。ここで、清掃部１５６は、支持部１５２の先端側の一例である。
【００５４】
清掃部１５６は、図３（Ｂ）に示されるように、板状のベース部１５８と、弾性部１６０と、拭取部１６２と、を備えている。なお、支持部１５２、把持部１５４及びベース部１５８は、樹脂製の一体成形品とされている。
【００５５】
ベース部１５８は、図３（Ｂ）に示されるように、長方形状の基部１６６と、２つの突出部１６８と、長方形状の固定部１６４と、を有している。２つの突出部１６８は、基部１６６から清掃部材１５０の短手方向両側に突出して、基部１６６と一体的に形成されている。固定部１６４は、基部１６６の上側（装置高さ方向上側）に突出して、基部１６６と一体的に形成されている。なお、２つの突出部１６８は、清掃部１５６により清掃動作が行われる場合、後述する収容体１１０に設けられたリブ１２４とリブ１３２との間に、挿入されるようになっている。
【００５６】
弾性部１６０は、スポンジ材（弾性材）で形成された直方体状の部材とされている。また、弾性部１６０は、装置高さ方向から見ると、長方形状に形成され、固定部１６４における装置高さ方向上側の面に固定されている。
【００５７】
拭取部１６２は、不織布で形成された直方体状の部材とされている。また、拭取部１６２は、装置高さ方向から見ると、長方形状に形成され、弾性部１６０における装置高さ方向上側の面に固定されている。
【００５８】
そして、清掃部１５６の装置高さ方向下側の面（基部１６６における透過ガラス１１２の反対側の面）から上側の面（拭取部１６２における透過ガラス１１２に接触する側の面）までの距離は、距離Ｈ１とされている。
【００５９】
清掃部材１５０は、清掃部１５６を透過ガラス１１２の表面１１２Ａに接触させた状態で、支持部１５２が透過ガラス１１２の長尺方向に移動することで、透過ガラス１１２の表面１１２Ａを清掃するようになっている（図４（Ａ）参照）。清掃部材１５０の２つの突出部１６８は、収容体１１０における、装置奥行き方向手前側に設けられたリブ１２４と１３２との間に挿入され、収容部１１０の装置高さ方向下側に設けられたガイドレール（図示省略）に沿って移動可能とされている。また、上記ガイドレールは、装置奥行き方向に沿って直線状に設けられている。ここで、清掃部材１５０における透明ガラス１１２の表面１１２Ａ側は、清掃部１５６が清掃を行う側を示す。
【００６０】
２つの突出部１６８が上記ガイドレールに沿って移動する場合、支持部１５２は、ベース部１５８及び透過ガラス１１２の表面１１２Ａ（又は拭取部１６２）の間で弾性部１６０が圧縮された状態で、移動するようになっている（図示省略）。この場合、清掃部１５６の装置高さ方向下側の面から上側の面までの距離は、距離Ｈ２とされている（図４（Ａ）参照）。
【００６１】
〔傾斜体〕
次に、傾斜体１８０について、図４に基づいて説明する。この図に示される如く、傾斜体１８０は、画像形成装置１０を構成する筐体１１４に固定されている。また、傾斜体１８０は、収容体１１０に固定された透過ガラス１１２よりも装置奥行き方向奥側に配置されている。さらに、傾斜体１８０には、清掃部１５６が装置奥行き方向奥側に向かうに従い、清掃部１５６を透過ガラス１１２側に案内する傾斜面１８４が形成されている。本実施形態では、傾斜面１８４は、装置奥行き方向に対する角度θが３０°の平面とされている。換言すれば、傾斜体１８０は、透過ガラス１１２の長尺方向一端側に設けられている。そして、傾斜体１８０の傾斜面１８４は、透過ガラス１１２の長手方向に交差する方向に沿って形成さえている。なお、傾斜体１８０は、金属製とされている。
【００６２】
また、傾斜体１８０における装置奥行き方向手前側の先端部分と、透過ガラス１１２の表面１１２Ａとの、装置高さ方向における距離は、距離Ｈ３とされている。そして、距離Ｈ３は、距離Ｈ２よりも長くされている（図４（Ａ）参照）。
【００６３】
〔清掃部材と傾斜体との関係〕
清掃動作を行う場合、清掃部１５６は、収容体１１０に設けられたリブ１２４とリブ１３２との間に挿入されるようになっている（図２（Ａ）及び（Ｂ）参照）。そして、清掃部１５６は、リブ１２４、１３２の装置奥行き方向奥側で、リブ１２４、１３２に連結された上記ガイドレールによって装置幅方向及び装置高さ方向の位置を規制されて、装置奥行き方向奥側に案内されるようになっている。この間、拭取部１６２は、弾性部１６０が圧縮されていることにより、透過ガラス１１２の表面１１２Ａを押圧した状態で移動するようになっている（図４（Ａ）参照）。さらに、清掃部１５６（拭取部１６２）が、清掃領域ＣＬの装置奥行き方向奥側端部を通過すると、清掃部１５６（基部１６６）における透過ガラス１１２の反対側の部位は、傾斜面１８４に乗り上げるようになっている。そして、傾斜面１８４に突き当った清掃部１５６（清掃部１５６の先端）を、さらに、装置奥行き方向奥側に押圧して挿入すると、清掃部１５６（清掃部１５６の先端）は、傾斜面１８４に沿って装置奥行き方向奥側に移動しながら、透過ガラス１１２側に案内されるようになっている。
【００６４】
〔被清掃装置〕
また、前述した透過ガラス１１２と傾斜体１８０との組み合わせは、被清掃装置の一例である。
【００６５】
＜第１実施形態の作用＞
以下、本実施形態の作用について、説明する。
【００６６】
まず、本実施形態の清掃装置１４０の比較例として、比較例１（図示省略）を想定する。比較例１は、本実施形態の清掃装置１４０に対し、傾斜体１８０の替わりに、装置高さ方向に沿った壁部とされている点で異なる。
【００６７】
比較例１の場合、清掃部材の清掃部が、上記壁部に突き当り、更に、清掃部の支持部が装置奥行き方向奥側に押圧された場合、支持部が装置高さ方向のいずれか一方に凸に曲がる。そして、透過ガラス側に凸に曲がった支持部の一部は、透過ガラスの表面に接触して、透過ガラスの表面に傷をつける場合がある。
【００６８】
これにより、透過ガラスの表面に傷がつくと、画像形成動作時において、透過ガラスを透過する露光光Ｌの一部がこの傷によって散乱し、露光不良が生じ得る。
【００６９】
これに対して、本実施形態の清掃装置１４０について、図４（Ａ）〜（Ｃ）に基づいて説明する。清掃動作時に、収容体１１０のリブ１２４とリブ１３２との間に挿入された２つの突出部１６８は、上記ガイドレールに沿って装置奥行き方向奥側に案内される（図４（Ａ）参照）。さらに、清掃部１５６（拭取部１６２）が、清掃領域ＣＬの装置奥行き方向奥側端部を通過すると、清掃部１５６（基部１６６）における透過ガラス１１２の反対側の部位は、傾斜体１８０の傾斜面１８４に乗り上げる（図４（Ｂ）参照）。そして、清掃部１５６は、傾斜面１８４に沿って装置奥行き方向奥側に移動しながら、透過ガラス１１２側に案内される（図４（Ｃ）参照）。その結果、支持部１５２は、透過ガラス１１２側の反対側（感光体ドラム２１側）に凸に曲がる。
【００７０】
したがって、本実施形態の清掃装置１４０では、清掃部材１５０の先端が傾斜体１８０に突き当って押圧された場合に、支持部１５２が透過ガラス１１２側に曲がることを抑制することができる。そのため、本実施形態の清掃装置１４０では、比較例１の場合に比べて、透過ガラス１１２の表面１１２Ａの清掃に伴う傷がつくことが抑制される。
【００７１】
また、本実施形態の清掃装置１４０を備えた画像形成装置１０では、透過ガラス１１２の表面１１２Ａの清掃に伴う傷がつくことが抑制されるため、露光光Ｌが、散乱され難い。
【００７２】
したがって、本実施形態の画像形成装置１０によれば、比較例１の清掃装置を備えた画像形成装置の場合に比べて、透過ガラス１１２の表面１１２Ａの清掃に伴う傷に起因する画像形成不良が抑制される。
【００７３】
≪第１実施形態の変形例（変形例１〜３）≫
次に、第１実施形態の変形例について、図面に基づいて説明する。以下、主に、前述の実施形態と異なる部分を説明する。なお、以下において、前述の実施形態で用いた部品等を用いる場合、その部品等の符号をそのまま用いて説明する。
【００７４】
＜変形例１の構成＞
変形例１では、図５に示されるように、清掃装置１４０は、ＬＥＤヘッド１００のレンズアレイ１０２の光照射面１０２Ａを清掃するようになっている。ＬＥＤヘッド１００は、露光光Ｌを出射する複数のＬＥＤ素子（図示省略）を有する。この場合、清掃部材１５０の支持部１５２は、清掃部１５６を、レンズアレイ１０２の光照射面１０２Ａに接触させて支持するようになっている。そして、支持部１５２は、光照射面１０２Ａの長尺方向（図５のＺ方向）に移動するようになっている。ここで、前述のＬＥＤ素子は、光源の一例である。レンズアレイ１０２は、光透過部の一例である。光照射面１０２Ａは、光透過部の表面の一例である。ＬＥＤヘッド１００は、光照射装置の一例である。
【００７５】
＜変形例１の作用＞
変形例１の作用は、前述の実施形態の場合と同様である。
【００７６】
＜変形例２の構成＞
変形例２では、図６に示されるように、清掃装置１４０は、スキャナー装置１０４に設けられた光透過部１０６の導光板１０８の光透過面１０８Ａを清掃するようになっている。また、この変形例の画像形成装置１０はスキャナー装置１０４を備えている。画像形成装置１０では、スキャナー装置１０４は、読み取った情報に基づいて、制御部７０に画像形成指令を送るようになっている。光透過部１０６は、光を出射するＬＥＤ素子２６Ａを透過するようになっている。ＬＥＤ素子２６Ａから出射されて、導光板１０８を透過した光は、読取原稿Ｑに照射されるようになっている。この場合、清掃部材１５０の支持部１５２は、清掃部１５６を、光透過面１０８Ａに接触させて支持するようになっている。そして、支持部１５２は、光透過面１０８Ａの長尺方向（図６のＺ方向）に移動するようになっている。ここで、ＬＥＤ素子２６Ａは、光源の一例である。導光板１０８は、光透過部の一例である。光透過面１０８Ａは、光透過部の表面の一例である。読取原稿Ｑは、被光照射体の一例である。スキャナー装置１０４又は光透過部１０６は、光照射装置の一例である。
【００７７】
＜変形例２の作用＞
変形例２によれば、読取原稿Ｑに照射される光が、導光板１０８の光透過面１０８Ａの傷によって散乱され難い。
【００７８】
したがって、変形例２のスキャナー装置１０４によれば、比較例１の清掃装置を備えたスキャナー装置の場合に比べて、導光板１０８の光透過面１０８Ａの傷に起因する原稿読取不良が抑制される。また、変形例２のスキャナー装置１０４を備えた画像形成装置１０では、このように原稿読取不良に起因する画像形成指令に基づく画像形成不良が抑制される。
その他の作用は、前述の実施形態の場合と同様である。
【００７９】
＜変形例３の構成＞
変形例３では、清掃装置１４０は、画像検査部６６（図１及び図７参照）に設けられた２つの導光部材１２０の光透過面１２０Ａを清掃するようになっている。導光部材１２０は、光を出射するＬＥＤ素子２６Ａを透過するようになっている。ＬＥＤ素子２６Ａから出射されて、それぞれの導光部材１２０を透過した光は、画像が形成された媒体Ｐが通過する通過位置Ｄで結像して、照射されるようになっている。通過位置Ｄで反射した光は、画像検査部６６に設けられた結像光学系１２６によってＣＣＤセンサ１２２に結像されるようになっている。
【００８０】
ＣＣＤセンサ１２２は、媒体Ｐにおける画像の位置毎の画像濃度に応じた信号を、制御部７０に出力するようになっている。制御部７０は、ＣＣＤセンサ１２２から出力された信号に基づいて、画像濃度、画像形成位置等を補正するよう、上記各部を制御するようになっている。
【００８１】
清掃部材１５０の支持部１５２は、清掃部１５６を、光透過面１２０Ａに接触させて支持するようになっている。そして、支持部１５２は、光透過面１２０Ａの長尺方向（図７のＺ方向）に移動するようになっている。ここで、導光部材１２０は、光透過部の一例である。光透過面１０８Ａは、光透過部の表面の一例である。画像検査部６６は、光照射装置の一例である。
【００８２】
＜変形例３の作用＞
ここで、導光部材１２０の清掃装置として、比較例１の清掃装置を備えた場合を想定する。この場合、導光部材１２０の光透過面１２０Ａに傷がつくと、媒体Ｐに照射される光は、装置奥行き方向において、不均一に照射され得る。そうすると、結像光学系１２６によってＣＣＤセンサ１２２に結像される光は、媒体Ｐにおける画像の位置毎の画像濃度を反映したものにならない。そして、ＣＣＤセンサ１２２から出力された信号に基づいて、制御部７０は、上記各部を制御するため、不適切な画像濃度、画像形成位置等に補正される虞がある。
【００８３】
これに対し、変形例３の画像検査部６６を備えた画像形成装置１０では、導光部材１２０の光透過面１２０Ａの清掃に伴う傷がつくことが抑制されるため、ＣＣＤセンサ１２２から出力される信号に基づく制御は、不適切に補正されることが抑制される。
【００８４】
したがって、変形例３の画像検査部６６を備えた画像形成装置１０によれば、比較例１の清掃装置を画像検査部に備えた画像形成装置の場合に比べて、導光部材１２０の光透過面１２０Ａの清掃に伴う傷に起因する画像形成不良が抑制される。
変形例３の作用は、前述の実施形態の場合と同様である。
【００８５】
≪第２実施形態≫
＜第２実施形態の構成＞
次に、第２実施形態の清掃装置１４０Ａの構成について、図８に基づいて説明する。以下、主に、前述の実施形態と異なる部分を説明する。なお、以下において、前述の実施形態で用いた部品等を用いる場合、その部品等の符号をそのまま用いて説明する。
【００８６】
清掃装置１４０Ａを構成する清掃部材１５０Ａの支持部１５２は、清掃部１５６Ａの基部１６６の装置高さ方向下側の面の一部と、支持部１５２における装置高さ方向上側であって、装置奥行き方向奥側の端部が一体となるように成形されている（図８（Ａ）参照）。また、清掃装置１４０Ａは、装置高さ方向に沿った板状部１８６を有している。ここで、板状部１８６は、壁部の一例である。
【００８７】
なお、清掃部材１５０Ａの清掃部１５６は、支持部１５２の先端側、且つ、支持部１５２の中立軸（図８（Ａ）の一点鎖線）よりも透過ガラス１１２側となるように、支持部１５２に一体成形されている。そして、清掃部１５６は、清掃領域ＣＬを通過すると、板状部１８６に突き当たるようになっている。ここで、清掃部１５６は、板状部１８６に突き当たる突起部の一例である。
【００８８】
なお、支持部１５２の中立軸（図８（Ａ）〜（Ｃ）の一点鎖線）とは、支持部１５２に装置奥行き方向における曲げモーメントが生じた場合、支持部１５２が、この曲げモーメントに対して、圧縮応力も引張応力も（負荷を）受けない部位を結んだ線（面）をいう。
【００８９】
＜第２実施形態の作用＞
次に、本実施形態の清掃装置１４０Ａの作用について、図８に基づいて説明する。清掃部１５６（拭取部１６２）が、清掃領域ＣＬを通過すると、清掃部１５６（基部１６６）における装置奥行き方向奥側の部位は、板状部１８６に突き当る（図８（Ｂ）参照）。そして、板状部１８６に突き当った清掃部１５６が装置奥行き方向奥側に押圧されると、清掃部１５６が支持部１５２の中立軸よりも透過ガラス１１２側で押圧されて支持部１５２に曲げモーメントを発生させる。これにより、支持部１５２Ａは、透過ガラス１１２側の反対側に凸となるように曲がる（図８（Ｃ）参照）。
【００９０】
したがって、本実施形態の清掃装置１４０では、清掃部材１５０Ａの先端が板状部１８６に突き当って押圧された場合に、支持部１５２が透過ガラス１１２側に曲がることを抑制することができる。そのため、本実施形態の清掃装置１４０Ａでは、比較例１の場合に比べて、透過ガラス１１２の表面１１２Ａの清掃に伴う傷がつくことが抑制される。
その他の作用は、前述の実施形態の場合と同様である。
【００９１】
≪第２実施形態の変形例≫
＜第２実施形態の変形例の構成＞
次に、第２実施形態の変形例の清掃装置１４０Ｂについて、図９に基づいて説明する。以下、主に、前述の実施形態（変形例を含む）と異なる部分を説明する。なお、以下において、前述の実施形態で用いた部品等を用いる場合、その部品等の符号をそのまま用いて説明する。
【００９２】
清掃装置１４０Ｂを構成する清掃部材１５０Ｂの清掃部１５６Ｂには、後述するベース部１５８Ｂが支持部１５２に一体成形されている。ベース部１５８Ｂは、透過ガラス１１２側と反対側に、ベース部１５８Ｂが装置奥行き方向奥側に向かうに従い、装置高さ方向の透過ガラス１１２の表面１１２Ａとの距離が短くなるように傾斜面が形成されている。つまり、ベース部１５８Ｂの先端部（装置奥行き方向奥側の部位）は、支持部１５２の先端側、且つ、支持部１５２の中立軸（図９の一点鎖線）よりも透過ガラス１１２側に形成されている。そして、清掃動作時に、清掃部材１５０Ｂの清掃部１５６Ｂが、清掃領域ＣＬの装置奥行き方向奥側端部を通過すると、ベース部１５８Ｂの先端部が板状部１８６に突き当たるようになっている。ここで、清掃部１５６Ｂ（ベース部１５８Ｂ）は、突起部の一例である。換言すれば、ベース部１５８Ｂは、清掃部１５８Ｂの一部である。
【００９３】
＜第２実施形態の変形例の作用＞
本変形例の作用は、前述の実施形態の場合と同様である。
【００９４】
≪第３実施形態≫
＜第３実施形態の構成＞
次に、第３実施形態について、図１０に基づいて説明する。以下、主に、前述の実施形態（変形例を含む）と異なる部分を説明する。なお、以下において、前述の実施形態で用いた部品等を用いる場合、その部品等の符号をそのまま用いて説明する。
【００９５】
本実施形態の清掃装置１４０Ｃでは、清掃部材１５０Ｃにおける支持部１５２Ｃの透過ガラス１１２側に、清掃部材１５０Ｃの長手方向（清掃部材１５０Ｃの軸方向）に沿った複数の切れ目部１５２Ｃ１が形成されている。切れ目部１５２Ｃ１は、清掃部材１５０Ｃを装置幅方向側から見ると、透過ガラス１１２の側に向けてＶ字状に開くように複数形成されている。換言すれば、支持部１５２Ｃは、透過ガラス１１２側の密度が、透過ガラス１１２の反対側の密度よりも低くなっている。ここで、切れ目部１５２Ｃ１は、窪みの一例である。
【００９６】
清掃動作時に、清掃部１５６（ベース部１５８）が清掃領域ＣＬの装置奥行き方向奥側端部を通過して板状部１８６に突き当たり更に押圧されると、支持部１５２Ｃには、圧縮応力が発生する。この場合、支持部１５２Ｃの透過ガラス１１２側に形成された各Ｖ字状の切れ目部１５２Ｃ１は、それぞれ閉じるように変形するようになっている。つまり、支持部１５２Ｃは、透過ガラス１１２側の反対側に凸となるように変形するようになっている。なお、支持部１５２Ｃでは、透過ガラス１１２側の反対側の部位は、支持部１５２Ｃの透過ガラス１１２側の部位よりも、曲げ剛性が大とされている。
【００９７】
＜第３実施形態の作用＞
支持部１５２Ｃに圧縮応力が発生すると、支持部１５２Ｃの透過ガラス１１２側に形成された各Ｖ字状の切れ目部１５２Ｃ１は、それぞれ閉じるように変形される。その結果、支持部１５２Ｃは、透過ガラス１１２側の反対側に凸となるように曲がる。
本実施形態の作用は、前述の実施形態の場合と同様である。
【００９８】
≪第４実施形態≫
＜第４実施形態の構成＞
次に、第４実施形態について、図１１に基づいて説明する。以下、主に、前述の実施形態（変形例を含む）と異なる部分を説明する。なお、以下において、前述の実施形態で用いた部品等を用いる場合、その部品等の符号をそのまま用いて説明する。
【００９９】
本実施形態の清掃装置１４０Ｄの支持部１５２Ｄは、透過ガラス１１２側に第１支持部１５２Ｄ１と、透過ガラス１１２側の反対側に第２支持部１５２Ｄ２と、を貼り合わせて形成されている。第１支持部１５２Ｄ１は、第２支持部１５２Ｄ２よりも弾性率の低い材料とされている。つまり、支持部１５２Ｄは、第１支持部１５２Ｄ１よりも透過ガラス１１２側の反対側にある第２支持部１５２Ｄ２の曲げ剛性が大とされている。
【０１００】
清掃動作時に、清掃部１５６（ベース部１５８）が清掃領域ＣＬの装置奥行き方向奥側端部を通過して板状部１８６に突き当たり更に押圧されると、支持部１５２Ｄには、圧縮応力が発生する。このため、支持部１５２Ｄは、透過ガラス１１２側の反対側に凸に曲がるようになっている。
【０１０１】
＜第４実施形態の作用＞
本実施形態の作用は、前述の実施形態の場合と同様である。
【０１０２】
≪第４実施形態の変形例≫
＜第４実施形態の変形例の構成＞
次に、第４実施形態の変形例について、図１２に基づいて説明する。以下、主に、前述の実施形態（変形例を含む）と異なる部分を説明する。なお、以下において、前述の実施形態で用いた部品等を用いる場合、その部品等の符号をそのまま用いて説明する。
【０１０３】
本実施形態の清掃装置１４０Ｅの支持部１５２Ｅは、装置奥行き方向から見ると、Ｕ時状に形成されている。そして、２つの側壁部１５２Ｅ２は、装置奥行き方向から見て、支持部１５２Ｅを構成する本体部１５２Ｅ１の中心軸（図１２（Ｂ）の一点鎖線）に対して、透過ガラス１１２側と反対側に形成されている。
【０１０４】
清掃動作時に、清掃部１５６（ベース部１５８）が清掃領域ＣＬの装置奥行き方向奥側端部を通過して板状部１８６に突き当たり更に押圧されると、側壁部１５２Ｅ２は、本体部１５２Ｅ１の補強部材として機能するようになっている。これにより、支持部１５２Ｅは、透過ガラス１１２側の反対側に凸となるように曲がるようになっている。つまり、支持部１５２Ｅは、前記中心線（図１２（Ｂ）参照）よりも透過ガラス１１２側の反対側にある部位の曲げ剛性が大とされている。  
【０１０５】
＜第４実施形態の変形例の作用＞
本実施形態の作用は、前述の実施形態の場合と同様である。
【０１０６】
≪参考例≫
次に、参考例について、図１３に基づいて説明する。後述する参考例に係る清掃装置１４０Ｆは、前述した実施形態と同様、支持部１５２Ｆを透過ガラス１１２の表面１１２Ａに接触させないようにして、表面１１２Ａに傷が発生しないようする点（目的）では共通する。
【０１０７】
しかしながら、上記目的を達成するための具体的な構成が異なる。以下、清掃装置１４０Ｆについて、主に、前述の実施形態（変形例を含む）と異なる部分を説明する。なお、以下において、前述の実施形態で用いた部品等を用いる場合、その部品等の符号をそのまま用いて説明する。
【０１０８】
＜参考例の構成＞  
清掃装置１４０Ｆは、後述する清掃部材１５０Ｆを含んで構成されている。また、前述の実施形態（変形例を含む）のように、傾斜体１８０及び板状部１８６のいずれも含まない構成とされている（図１３（Ａ）参照）。
【０１０９】
清掃部材１５０Ｆは、清掃部材１５０Ｆの長尺方向における支持部１５２Ｆと清掃部１５６の支持部１５２側の反対側端部までの距離がＬ５とされている。距離Ｌ５は、装置奥行き方向における、収容体１１０の装置奥行き方向手前側端部から透過ガラス１１２の装置奥行き方向奥側端部までの長さ（長さＬ４＋Ｌ２）よりも、短くされている（図１３（Ｂ）及び（Ｃ）参照）。これにより、清掃動作時において、把持部１５４が収容部１１０の装置手前側の側壁（符号省略）に突き当るため、清掃部１５６は、後述する筐体１８２に突き当たらないようになっている。ここで、清掃部１５６は、支持部１５２の先端側の一例である。
【０１１０】
また、距離Ｌ５は、装置奥行き方向における収容体１１０の距離Ｌ３よりも、短くされている（図１３（Ｂ）及び（Ｃ）参照）。なお、収容体１１０の装置奥行き方向奥側端部は、画像形成装置を構成する筐体１８２に固定されている（図１３（Ａ）参照）。また、筐体１８２は、装置高さ方向に沿った板状とされている（図１３（Ａ）参照）。つまり、清掃動作時において、清掃部１５６が移動する方向の延長線上には、収容部１１０の装置奥行き方向手前側端部から、距離Ｌ３の位置に、筐体１８２が配置されている（図１３（Ａ）参照）。
【０１１１】
把持部１５４には、図１３（Ａ）に示されるように、段差面１５４Ａが形成されている。そして、段差面１５４Ｆは、装置奥行き方向から見ると、収容体１１０の装置奥行き方向手前側の部位に干渉するようになっている。このため、支持部１５２Ｆが装置奥行き方向奥側に移動すると、段差面１５４Ｆは、収容部１１０の装置手前側の側壁に突き当たるようになっている。
【０１１２】
なお、前述では、本参考例において、把持部１５４が収容部１１０の装置手前側の側壁に突き当るため、清掃部１５６は、筐体１８２に突き当たらないとして説明した。しかしながら、筐体１８２の装置奥行き方向手前側に画像形成装置１０を構成する部材等がある場合、この部材等に突き当らないようにすればよい。
【０１１３】
＜参考例の作用＞  
まず、本参考例の清掃装置１４０Ｄの比較例として、比較例２（図示省略）を想定する。比較例３は、清掃部材の長尺方向における支持部と清掃部の支持部側の反対側端部までの距離Ｌ７とされており、距離Ｌ７は、距離Ｌ３よりも長い点で異なる。
【０１１４】
比較例３の場合、清掃部材の清掃部が、筐体に突き当り、更に、清掃部材が装置奥行き方向奥側に押圧された場合、清掃部材の支持部に圧縮応力が作用し、支持部が装置高さ方向のいずれか一方に凸に弾性変形する。そして、支持部が透過ガラス側に弾性変形した場合、支持部の一部は、透過ガラスの表面に接触して、透過ガラスの表面には傷が発生する。
【０１１５】
これにより、透過ガラスの表面に傷がつくと、画像形成動作時において、透過ガラスを透過する露光光Ｌの一部がこの傷によって散乱し、露光不良が生じ得る。
【０１１６】
これに対して、本参考例の清掃装置１４０Ｆについて、図１３（Ａ）〜（Ｃ）に基づいて説明する。清掃部１５６（拭取部１６２）が、清掃領域ＣＬの装置奥行き方向奥側端部を通過し（図１３（Ｂ）参照）、更に、装置奥行き方向奥側に移動されると、段差面１５４Ｆが、収容部１１０の装置奥行き方向手前側の側壁に突き当たる。そのため、清掃部１５６は、これ以上、装置奥行き方向奥側に移動できない。
【０１１７】
つまり、清掃装置１４０Ｆでは、清掃部１５６が清掃領域ＣＬを通過した後、支持部１５２Ｆは、比較例３の場合と異なり、装置奥行き方向において押圧された状態で保持されることはない。そうすると、清掃装置１４０Ｄは、比較例３のように、支持部の一部が透過ガラスの表面に接触して、透過ガラスの表面に傷を発生させ難い。
【０１１８】
したがって、参考例の清掃装置１４０Ｆでは、比較例２の場合に比べて、透過ガラス１１２の表面１１２Ａの傷がつくことが抑制される。
【０１１９】
その他の作用は、前述の実施形態の場合と同様である。
【０１２０】
なお、距離Ｌ５が、距離Ｌ３よりも長くされている場合、筐体１８２における清掃部１５６が移動する方向の延長線上の部位に、清掃部１５６が突き当たらない構成にしてもよい。すなわち、筐体１８２における清掃部１５６が移動する方向の延長線上の部位に、清掃部１５６が入り込むことができる穴部（図示省略）を設ければよい。
【０１２１】
以上のとおり、本発明を特定の実施形態について詳細に説明したが、本発明は前述した実施形態に限定されるものではなく、本発明の範囲内にて他の種々の実施形態が可能である。
【０１２２】
例えば、前述の実施形態では、傾斜体１８０の装置奥行き方向に対して角度３０°の平面を有するとして説明した。しかしながら、清掃部１５６が清掃領域ＣＬを通過した後、支持部１５２が、透過ガラス１１２側と反対側に凸となるように曲がれば、曲面、角度の異なる複数の平面、又はこれらの組み合わせであってもよい。
【０１２３】
また、前述の実施形態では、透過ガラス１１２の表面１１２Ａは平面として説明したが、表面１１２Ａは平面に限られず、例えば、曲面、曲面及び平面を含む複合面等であってもよい。
【０１２４】
また、前述の実施形態では、基部１６６は支持部１５２の先端側に設けられているとして説明したが、支持部１５２の一部として支持部１５２の先端に形成されていてもよい。
【０１２５】
また、前述の実施形態では、清掃部１５６を構成する弾性部１６０及び拭取部１６２は、支持部１５２の厚み方向片側に設けられているとして説明したが、反対側にも弾性部１６０及び拭取部１６２が設けられることとしてもよい。この場合、清掃部材１５０が、清掃動作時に、収容体１１０のリブ１２４とリブ１３２との間に挿入される際、支持部１５０の厚み方向の一面側と他面側とを逆にして使用することができる。
【０１２６】
また、前述の実施形態では、傾斜体１８０の傾斜面１８４は平面であるとして説明したが、透過ガラス１１２の長尺方向に向いて方向に交差する面であれば、例えば、曲面、曲面及び平面を含む複合面等で形成されていてもよい。
【０１２７】
また、前述の実施形態では、清掃装置１４０Ａは、装置高さ方向に沿った板状部１８６を有しているとして説明したが、板状部１８６は、画像形成装置１０の筐体等でもよい。
【０１２８】
また、支持部１５２Ｃの透過ガラス１１２側には、複数の切れ目部１５２Ｃ１が形成されているとした。しかしながら、清掃部１５６が清掃領域ＣＬを通過した後、切れ目部１５２Ｃ１が１つであっても、支持部１５２Ｃが、透過ガラス１１２側と反対側に凸となるように曲がればよい。
【０１２９】
また、前述の実施形態では、清掃部材１５０は、清掃動作時に、収容体１１０のリブ１２４とリブ１３２との間に挿入されるとして説明したが、清掃部材１５０は、画像形成時に、収容体１１０の定められた位置に配置させるようにしてもよい。例えば、支持部１５２の装置高さ方向（板厚方向）に長尺状の穴部を設け、清掃部１５６を、清掃領域ＣＬよりも装置奥行き方向奥側となるように配置させる。そして、画像形成時において、露光光Ｌは、支持部１５２の長尺状の穴部を通過できる構成にすればよい。
【０１３０】
また、前述の説明では、各実施形態（各変形例を含む。）をそれぞれ別々にしたが、各実施地形態の特徴的な構成を２以上組み合わせて実施してもよい。例えば、第１実施形態の傾斜体１８０と第４実施形態の清掃部材１５０Ｄとを組み合わせてもよい。また、第３実施形態の清掃装置１５０Ｃと第１実施形態の画像形成装置１０とを組み合わせてもよい。さらに、第２実施形態の清掃部材１５０Ｂと第３実施形態の清掃部材１５０Ｃの切れ目部１５２Ｃ１とを組み合わせてもよい。
【符号の説明】
【０１３１】
１０   画像形成装置
２１   感光体ドラム（被光照射体の一例）
２３   露光装置（光照射装置の一例）
２６   光源
１００ ＬＥＤヘッド（光照射装置の一例）
１０２ レンズアレイ（光透過部の一例）
１０２Ａ      光照射面（光透過部の表面の一例）
１０２ 支持部
１１２ 透過ガラス（光透過部の一例）
１１２Ａ      透過ガラスの表面（光透過部の表面の一例）
１４０ 清掃装置
１５０ 清掃部材
１５２ 支持部
１５２Ｃ１    切れ目部（窪みの一例）
１５６ 清掃部
１６６ 基部（突起部の一例）
１８０ 傾斜体（壁部の一例）
１８４ 傾斜面（光透過部の表面に交差する面の一例）
１８６ 板状部（壁部の一例）
１５６、１８０       清掃部及び傾斜体（曲げ手段の一例）
Ｌ     露光光（光の一例）
Ｑ     読取原稿（被光照射体の一例）
【図１】
2015075738.tif 000003
【図２】
2015075738.tif 000004
【図３】
2015075738.tif 000005
【図４】
2015075738.tif 000006
【図５】
2015075738.tif 000007
【図６】
2015075738.tif 000008
【図７】
2015075738.tif 000009
【図８】
2015075738.tif 000010
【図９】
2015075738.tif 000011
【図１０】
2015075738.tif 000012
【図１１】
2015075738.tif 000013
【図１２】
2015075738.tif 000014
【図１３】
2015075738.tif 000015